(57)【要約】【課題】持ち手の負担を抑えることができると共に、持ち運び時の破断を抑制することができる箱用シートの提供を課題とする。【解決手段】本発明の箱用シートは、一対の側面パネルから形成される一対の側壁と、各二対の第１フラップ及び第２フラップによって形成される他対の側壁との間に設けられる４つの角部のうち組立状態で対向する一対の角部の上部に手掛け穴形成部を有し、上記一対の手掛け穴形成部が、隣接する上記側壁の境界線を中心として左右方向に延び、かつ下方に凸状に湾曲した破断容易線と、この破断容易線の両端から上方かつ上記境界線側に上方に凸状に湾曲した一対の第１折り曲げ容易線とを有し、上記破断容易線及び一対の第１折り曲げ容易線で囲まれる領域が天面パネルの内面に当接する。【選択図】図１
2018140785.tif 000002
【特許請求の範囲】
【請求項１】
１枚のシートからなり、
一方側から他方側に連接され、組立時に四角筒状部を構成する天面パネル、第１側面パネル、底面パネル及び第２側面パネルと、
上記天面パネル及び底面パネルの対向する端縁からそれぞれ延出し、組立時に先端同士が突き合わされ、上記四角筒状部の端部開口を封止する二対の第１フラップと、
上記一対の側面パネルの対向する端縁からそれぞれ延出し、組立時に上記第１フラップに重ねられる二対の第２フラップと
を備え、
包装箱に組み立て可能な箱用シートであって、
上記一対の側面パネルから形成される一対の側壁と、上記各二対の第１フラップ及び第２フラップによって形成される他対の側壁との間に設けられる４つの角部のうち組立状態で対向する一対の角部の上部に手掛け穴形成部を有し、
上記一対の手掛け穴形成部が、
隣接する上記側壁の境界線を中心として左右方向に延び、かつ下方に凸状に湾曲した破断容易線と、
この破断容易線の両端から上方かつ上記境界線側に上方に凸状に湾曲した一対の第１折り曲げ容易線と
を有し、
上記破断容易線及び一対の第１折り曲げ容易線で囲まれる領域が上記天面パネルの内面に当接する箱用シート。
【請求項２】
上記一対の手掛け穴形成部が、上記一対の側面パネル及び第２フラップの連接部に形成されており、
上記第１フラップの組立状態で上記手掛け穴形成部と重なる部分が切り欠かれている請求項１に記載の箱用シート。
【請求項３】
上記破断容易線の両端の内側に配設され、左右方向に延びる第２折り曲げ容易線をさらに有する請求項１又は請求項２に記載の箱用シート。
【請求項４】
上記天面パネルと一対の第１折り曲げ容易線の上端との上下方向距離に対する上記天面パネルと破断容易線の下端との上下方向距離の比が２以上６以下である請求項１、請求項２又は請求項３に記載の箱用シート。
【請求項５】
上記一対の第１折り曲げ容易線が、隣接する上記側壁の境界線を挟んで形成されている請求項１から請求項４のいずれか１項に記載の箱用シート。
【発明の詳細な説明】
【技術分野】
【０００１】
本発明は、箱用シートに関する。
【背景技術】
【０００２】
段ボールシート等から組み立てられる包装箱が、物品の保管、運搬等に広く用いられている。また、このような包装箱としては、物品の運搬の際の持ち運び性を高めるべく手掛け部が形成されたものも存在している。このような手掛け部が形成された包装箱として、例えば「包装箱」（特開２０１３−２３０８４１号公報参照）が提案されている。
【０００３】
上記公報に記載の包装箱は、側壁の対向する角部に一対の手掛け穴形成部を有する。この手掛け穴形成部は、側壁の稜線を挟んで上下方向に延びる一対の直線状の第１切込みと、これらの第１切込みの下端同士を結ぶ直線状の破断容易線（第２切込み）と、一対の第１切込みの上端同士を結ぶ直線状の折り曲げ容易線と、側壁の稜線上で上記破断容易線及び折り曲げ容易線に連結される第３切込みとを有する。この包装箱は、上記破断容易線を破断し、この破断容易線、第１切込み、第３切込み及び折り曲げ容易線で囲まれる２つの矩形領域をそれぞれ側面パネルの内側に折り返すことで、手掛け穴を形成可能とされている。つまり、この公報に記載されているように、従来の手掛け穴は、直線状の折り曲げ容易線に沿って側壁を折り曲げる構成とされている。
【先行技術文献】
【特許文献】
【０００４】
【特許文献１】特開２０１３−２３０８４１号公報
【発明の概要】
【発明が解決しようとする課題】
【０００５】
しかしながら、上記公報に記載の包装箱は、持ち運び時に側壁の手掛け穴の上側に位置する部分が持ち手に対して略垂直に当接するため、この当接部が手指に食い込みやすい。また、この包装箱は、側壁の手掛け穴の上側に位置する部分の内面側に手指をかけた場合に、この部分に対して左右方向に力が加わりやすく、手掛け穴の端部を起点として破れやすい。
【０００６】
本発明は、このような事情に鑑みてなされたものであり、持ち手の負担を抑えることができると共に、持ち運び時の破断を抑制することができる箱用シートの提供を課題とするものである。
【課題を解決するための手段】
【０００７】
上記課題を解決するためになされた本発明に係る箱用シートは、１枚のシートからなり、一方側から他方側に連接され、組立時に四角筒状部を構成する天面パネル、第１側面パネル、底面パネル及び第２側面パネルと、上記天面パネル及び底面パネルの対向する端縁からそれぞれ延出し、組立時に先端同士が突き合わされ、上記四角筒状部の端部開口を封止する二対の第１フラップと、上記一対の側面パネルの対向する端縁からそれぞれ延出し、組立時に上記第１フラップに重ねられる二対の第２フラップとを備え、包装箱に組み立て可能な箱用シートであって、上記一対の側面パネルから形成される一対の側壁と、上記各二対の第１フラップ及び第２フラップによって形成される他対の側壁との間に設けられる４つの角部のうち組立状態で対向する一対の角部の上部に手掛け穴形成部を有し、上記一対の手掛け穴形成部が、隣接する上記側壁の境界線を中心として左右方向に延び、かつ下方に凸状に湾曲した破断容易線と、この破断容易線の両端から上方かつ上記境界線側に上方に凸状に湾曲した一対の第１折り曲げ容易線とを有し、上記破断容易線及び一対の第１折り曲げ容易線で囲まれる領域が上記天面パネルの内面に当接する。
【０００８】
当該箱用シートは、一対の手掛け穴形成部が、隣接する側壁の境界線を中心として左右方向に延び、かつ下方に凸状に湾曲した破断容易線と、この破断容易線の両端から上方かつ上記境界線側に上方に凸状に湾曲した一対の第１折り曲げ容易線とを有するので、組立状態でこの破断容易線及び一対の第１折り曲げ容易線で囲まれる領域（以下、「折り込み領域」ともいう）を指で内側に押し込むことで、上記破断容易線が容易に破断して折り込み領域が内側に折れ曲がる。当該箱用シートは、破断容易線が下方に凸状に湾曲しており、かつ一対の第１折り曲げ容易線が上方かつ上記境界線側に上方に凸状に湾曲しているので、上記折り込み領域を全体として（つまり、隣接する側壁の境界で分断することなく）内側に折り込むことができる。当該箱用シートは、この折り込み領域を側壁の内側に押し込み、この折り込み領域が天面パネルの内面に当接した状態で、この折り込み領域を下方から支持して持ち運ぶことができる。当該箱用シートは、上記一対の第１折り曲げ容易線が上方に凸状に湾曲しているので、上記折り込み領域を押し込む際に、作業者の指をこの折り込み領域の頂点部分に誘導し、この頂点部分を下方から支持して持ち運ぶことができる。これにより、当該箱用シートは上記折り込み領域のエッジに負担がかかり難いので、持ち運びに際して破れ難い。また、当該箱用シートは、上記折り込み領域を天面パネルと共に持ち上げることができ、これにより持ち運び時に当該箱用シートに加わる力が分散する。そのため、当該箱用シートは、持ち運び時の破れを効果的に抑制することができる。さらに、当該箱用シートは、上記折り込み領域を下方から支持して持ち運ぶことができるので、側壁が手指に略垂直に当接することがなく、作業者の持ち手の負担を抑えることができる。
【０００９】
上記一対の手掛け穴形成部が、上記一対の側面パネル及び第２フラップの連接部に形成されており、上記第１フラップの組立状態で上記手掛け穴形成部と重なる部分が切り欠かれているとよい。このように、上記一対の手掛け穴形成部が、上記一対の側面パネル及び第２フラップの連接部に形成されており、上記第１フラップの組立状態で上記手掛け穴形成部と重なる部分が切り欠かれていることによって、上記第１フラップが手掛け穴の形成を妨げることがないので、手掛け穴を容易に形成することができる。
【００１０】
上記破断容易線の両端の内側に配設され、左右方向に延びる第２折り曲げ容易線をさらに有するとよい。このように、上記破断容易線の両端の内側に配設され、左右方向に延びる第２折り曲げ容易線をさらに有することによって、上記第２折り曲げ容易線及び破断容易線で囲まれる領域（以下、「第１折り込み領域」ともいう）を側壁の内側に押し込むことで、上記折り込み領域全体を比較的容易に折り込むことができる。
【００１１】
上記天面パネルと一対の第１折り曲げ容易線の上端との上下方向距離に対する上記天面パネルと破断容易線の下端との上下方向距離の比としては、２以上６以下が好ましい。このように、上記天面パネルと一対の第１折り曲げ容易線の上端との上下方向距離に対する上記天面パネルと破断容易線の下端との上下方向距離の比が上記範囲内であることによって、上記折り込み領域を側壁の内側に容易に押し込むことができると共に、この折り込み領域を天面パネルの内面に容易かつ確実に当接することができる。
【００１２】
上記一対の第１折り曲げ容易線が、隣接する上記側壁の境界線を挟んで形成されているとよい。このように、上記一対の第１折り曲げ容易線が、隣接する上記側壁の境界線を挟んで形成されていることによって、上記第１折り曲げ容易線が包装箱組立時等に意図せず折れ曲がったり、手掛け穴形成前の状態における座屈強度が不十分となることを抑制することができる。
【００１３】
なお、本発明において「上」及び「下」とは、手掛け穴形成部を包装箱の内側に押し込み、この押し込んだ領域に指を掛けて包装箱を持ち運ぶ際の上下を意味し、「左右方向」とは、この状態における水平方向を意味するが、上記包装箱のそれ以前の向きを制限することを企図するものではない。また、「天面」とは、手掛け穴形成部を包装箱の内側に押し込み、この押し込んだ領域に指を掛けて包装箱を持ち運ぶ際の上側面をいい、「底面」とは、手掛け穴形成部を包装箱の内側に押し込み、この押し込んだ領域に指を掛けて包装箱を持ち運ぶ際の下側面を意味する。
【発明の効果】
【００１４】
以上説明したように、本発明に係る箱用シートは持ち手の負担を抑えることができると共に、持ち運び時の破断を抑制することができる。
【図面の簡単な説明】
【００１５】
【図１】本発明の一実施形態に係る箱用シートを示す模式的平面図である。
【図２】図１の箱用シートを組み立ててなる包装箱を示す模式的斜視図である。
【図３】図２の包装箱の手掛け穴形成状態を示す模式的斜視図である。
【図４】図３の包装箱の手掛け穴を示す模式的斜視図である。
【図５】図３の包装箱の手掛け穴を包装箱内部から視認した状態を示す模式的斜視図である。
【図６】図１の箱用シートとは異なる形態に係る箱用シートを示す模式的平面図である。
【図７】図６の箱用シートを組み立ててなる包装箱の模式的部分斜視図である。
【発明を実施するための形態】
【００１６】
以下、適宜図面を参照しつつ、本発明の実施の形態を詳説する。
【００１７】
［第一実施形態］
＜箱用シート＞
図１の箱用シート１は、１枚のシートからなり図２の包装箱２１に組み立て可能に構成される。当該箱用シート１は、一方側から他方側に連接され、組立時に四角筒状部を構成する天面パネル２、第１側面パネル３、底面パネル４及び第２側面パネル５と、天面パネル２及び底面パネル４の対向する端縁からそれぞれ延出し、組立時に先端同士が突き合わされ、上記四角筒状部の端部開口を封止する二対の第１フラップ６，７と、一対の側面パネル３，５の対向する端縁からそれぞれ延出し、組立時に第１フラップ６，７に重ねられる二対の第２フラップ８，９とを備える。また、当該箱用シート１は、天面パネル２の第１側面パネル３と連接される側と反対側の端縁に連接される糊代部１０を備える。天面パネル２、第１側面パネル３、底面パネル４及び第２側面パネル５は各々略矩形状に形成されている。また、天面パネル２及び底面パネル４は略同形状に形成され、第１側面パネル３及び第２側面パネル５は略同形状に形成されている。なお、図１において、太い実線は箱用シート１を切断して形成されるエッジを示し、細い実線は箱用シートの一方側面に筋押しして形成される罫線を示す。
【００１８】
箱用シート１に用いられるシートとしては、箱用シート１を組み立ててなる包装箱の形状を維持できる程度の強度を有する限り特に限定されるものではなく、例えば段ボールシート、厚紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００１９】
当該箱用シート１は、例えばラップアラウンド型の包装箱に組み立て可能に構成されている。当該箱用シート１をラップアラウンド型の包装箱に組み立てる手順の一例について説明する。まず、底面パネル４の内面に包装箱に収容する物品を載置する。その後、第１側面パネル３を底面パネル４に対して略９０°立ち上げる。続いて、第１側面パネル３の一対の端縁から延出する第２フラップ８を内側に略９０°折り曲げる。さらに、第２側面パネル５を底面パネル４に対して略９０°立ち上げたうえ、天面パネル２を底面パネル４と平行になるように折り曲げる。続いて、第２側面パネル５の一対の端縁から延出する第２フラップ９を内側に略９０°折り曲げる。そして、天面パネル２及び底面パネル４の各一対の端縁から延出する第１フラップ６，７を先端同士が突き合わされるように内側に略９０°折り曲げると共に、第１フラップ６，７及び第２フラップ８，９の重なり合う部分を接着剤で貼着する。さらに、糊代部１０を天面パネル２に対して略９０°内側に折り曲げ、糊代部１０及び第２側面パネル５の重なり合う部分を接着剤で貼着する。これにより、一対の側面パネル３，５、並びに各二対の第１フラップ６，７及び第２フラップ８，９によって形成される４つの側壁を有する図２の包装箱２１が組み立てられる。
【００２０】
図２に示すように、当該箱用シート１は、一対の側面パネル３，５から形成される一対の側壁と、各二対の第１フラップ６，７及び第２フラップ８，９によって形成される他対の側壁との間に設けられる４つの角部のうち組立状態で対向する一対の角部の上部に手掛け穴形成部Ｘ１を有する。以下、手掛け穴形成部Ｘ１について説明する。
【００２１】
（手掛け穴形成部）
手掛け穴形成部Ｘ１は、隣接する側壁の境界線Ｙを中心として左右方向に延び、かつ下方に凸状に湾曲した破断容易線２２と、破断容易線２２の両端から上方かつ境界線Ｙ側に上方に凸状に湾曲した一対の第１折り曲げ容易線２３とを有する。破断容易線２２の両端は上下方向における同一位置に配設されている。破断容易線２２は、円弧状又は楕円弧状に形成されている。破断容易線２２及び一対の第１折り曲げ容易線２３の全体の概形は、円形状又は楕円形状とされている。本実施形態において、第１折り曲げ容易線２３は、シート材の一方側面を筋押しして形成される罫線である。また、破断容易線２２は、スリットが間欠的に配設されたいわゆるミシン目である。
【００２２】
また、手掛け穴形成部Ｘ１は、破断容易線２２の上端から内側に延出する一対のスリット２５を有する。一対のスリット２５は、上方に凸な円弧状に形成されている。一対のスリット２５は、幅のない切断線として構成されている。
【００２３】
図１に示すように、一対の手掛け穴形成部Ｘ１は、一対の側面パネル３，５及び第２フラップ８，９の連接部に形成されている。また、第１フラップ６の組立状態で手掛け穴形成部Ｘ１と重なる部分は切欠き２４が形成されている。当該箱用シート１は、このように一対の手掛け穴形成部Ｘ１が、一対の側面パネル３，５及び第２フラップ８，９の連接部に形成されており、第１フラップ６の組立状態で手掛け穴形成部Ｘ１と重なる部分が切り欠かれていることによって、第１フラップ６が手掛け穴の形成を妨げることがないので、手掛け穴を容易に形成することができる。
【００２４】
また、一対の第１折り曲げ容易線２３は、隣接する側壁の境界線Ｙを挟んで形成されている。この構成によると、第１折り曲げ容易線２３が包装箱２１の組立時等に意図せず折れ曲がったり、手掛け穴形成前の状態における座屈強度が不十分となることを抑制することができる。
【００２５】
図３〜図５に示すように、手掛け穴Ｚは、破断容易線２２及び一対の第１折り曲げ容易線２３で囲まれる領域（以下「折り込み領域Ｐ」ともいう）を包装箱２１の内側に押し込むことで形成される。具体的には、折り込み領域Ｐを内側に押し込むことで、まず破断容易線２２が破断する。そして、さらにこの折り込み領域Ｐを内側に押し込むことで、折り込み領域Ｐが包装箱２１の内側に押し込まれ、折り込み領域Ｐが包装箱２１内に円筒面状に湾曲して突出する。つまり、上方かつ境界線Ｙ側に上方に湾曲した一対の第１折り曲げ容易線２３を包装箱２１の角部に設けることで、完全な剛性を有するシートを折り曲げる場合に形成される直線状の折り曲げ線と上方かつ境界線Ｙ側に上方に湾曲した第１折り曲げ容易線２３との差が比較的小さくなり、この差をシートの潰れ等によって吸収することで、概略一対の第１折り曲げ容易線２３に沿ってシートを折り曲げることができる。この折り込み領域Ｐが包装箱２１の内側に押し込まれることで、図５に示すように折り込み領域Ｐが天面パネル２の内面に当接する。
【００２６】
当該箱用シート１は、一対の手掛け穴Ｚが包装箱２１の組立状態における４つの側壁の対向する一対の角部に形成されるので、包装箱２１において比較的強度が高い部分を持ち上げることができ、包装箱２１の持ち運びに起因する包装箱２１の損傷を抑制しやすい。
【００２７】
天面パネル２と一対の第１折り曲げ容易線２３の上端との上下方向距離に対する天面パネル２と破断容易線２２の下端との上下方向距離の比の下限としては、２が好ましく、３がより好ましい。一方、上記比の上限としては、６が好ましく、５がより好ましい。上記比が上記下限に満たないと、折り込み領域Ｐを天面パネル２の内面に当接し難くなるおそれがある。逆に、上記比が上記上限を超えると、折り込み領域Ｐを包装箱２１の内側に押し込み難くなるおそれがある。
【００２８】
箱用シート１の展開状態における破断容易線２２の両端間の直線距離の下限としては、４．５ｃｍが好ましく、５．５ｃｍがより好ましい。一方、上記直線距離の上限としては、８．５ｃｍが好ましく、７．５ｃｍがより好ましい。上記直線距離が上記下限に満たないと、手掛け穴Ｚが小さくなり過ぎ、手掛け穴Ｚに手を掛け難くなるおそれがある。逆に、上記直線長さが上記上限を超えると、折り込み領域Ｐを包装箱２１の内側に押し込み難くなるおそれがある。これに対し、当該箱用シート１は、上記直線距離が上記範囲内であることによって、一対の第１折り曲げ容易線２３が破断容易線２２の両端から上方かつ境界線Ｙ側に上方に凸状に湾曲した形状であっても、折り込み領域Ｐを概ね一対の第１折り曲げ容易線２３に沿って折り曲げることが容易である。
【００２９】
一対の第１折り曲げ容易線２３の上端と、天面パネル２との上下方向距離の下限としては、０．５ｃｍが好ましく、０．８ｃｍがより好ましい。一方、上記上下方向距離の上限としては、２ｃｍが好ましく、１．５ｃｍがより好ましい。上記上下方向距離が上記下限に満たないと、側壁の一対の第１折り曲げ容易線２３の上端と天面パネル２との間の部分が破断するおそれがある。逆に、上記上下方向距離が上記上限を超えると、折り込み領域Ｐを天面パネル２の内面に当接し難くなるおそれがある。これに対し、上記上下方向長さが上記上限以下であることによって、折り込み領域Ｐを天面パネル２の内面に当接しやすく、これにより折り込み領域Ｐと天面パネル２とを一体的に持ち上げやすい。そのため、折り込み領域Ｐの持ち上げ時における天面パネル２の破損がより的確に抑制される。
【００３０】
当該箱用シート１は、一対のスリット２５が上方に凸な円弧状に形成され、一対のスリット２５の外側端に破断容易線２２が連結されていることで、折り込み領域Ｐを包装箱２１の内側に押し込んだ際に破断容易線２２の端部に加わる力を逃がすことができ、破断容易線２２の破断を抑制することができる。
【００３１】
破断容易線２２及び一対の第１折り曲げ容易線２３の全体の概形は、左右方向を長軸とする楕円形状であることが好ましい。当該箱用シート１は、破断容易線２２及び一対の第１折り曲げ容易線２３の全体の概形が、左右方向を長軸とする楕円形状であることによって、上記折り込み領域Ｐを水平方向に押し込みやすい。また、破断容易線２２及び一対の第１折り曲げ容易線２３の全体の概形が、左右方向を長軸とする楕円形状であることによって、折り込み領域Ｐを包装箱２１の内側に押し込んだ状態で、この折り込み領域Ｐを下側から持ちやすい。
【００３２】
破断容易線２２及び一対の第１折り曲げ容易線２３の全体の概形が左右方向を長軸とする楕円形状である場合、この楕円形の長軸方向長さに対する短軸方向長さの比の下限としては、０．５が好ましく、０．６がより好ましい。一方、上記比の上限としては、０．８が好ましく、０．７５がより好ましい。上記比が上記下限に満たないと、折り込み領域Ｐを天面パネル２の内面に的確に当接し難くなるおそれがある。逆に、上記比が上記上限を超えると、折り込み領域Ｐを水平方向に十分に押し込むことが困難となり、折り込み領域Ｐを天面パネル２の内面に的確に当接し難くなるおそれがある。
【００３３】
＜利点＞
当該箱用シート１は、一対の手掛け穴形成部Ｘ１が、隣接する側壁の境界線Ｙを中心として左右方向に延び、かつ下方に凸状に湾曲した破断容易線２２と、この破断容易線２２の両端から上方かつ上記境界線Ｙ側に上方に凸状に湾曲した一対の第１折り曲げ容易線２３とを有するので、組立状態でこの破断容易線２２及び一対の第１折り曲げ容易線２３で囲まれる折り込み領域Ｐを指で内側に押し込むことで、破断容易線２２が容易に破断して折り込み領域Ｐが内側に折れ曲がる。当該箱用シート１は、破断容易線２２が下方に凸状に湾曲しており、かつ一対の第１折り曲げ容易線２３が上方かつ上記境界線Ｙ側に上方に凸状に湾曲しているので、折り込み領域Ｐを全体として（つまり、隣接する側壁の境界で分断することなく）内側に折り込むことができる。当該箱用シート１は、この折り込み領域Ｐを側壁の内側に押し込み、この折り込み領域Ｐが天面パネル２の内面に当接した状態で、この折り込み領域Ｐを下方から支持して持ち運ぶことができる。当該箱用シート１は、一対の第１折り曲げ容易線２３が上方に凸状に湾曲しているので、折り込み領域Ｐを押し込む際に、作業者の指をこの折り込み領域Ｐの頂点部分に誘導し、この頂点部分を下方から支持して持ち運ぶことができる。これにより、当該箱用シート１は折り込み領域Ｐのエッジに負担がかかり難いので、持ち運びに際して破れ難い。また、当該箱用シート１は、折り込み領域Ｐを天面パネル２と共に持ち上げることができ、これにより持ち運び時に当該箱用シート１に加わる力が分散する。そのため、当該箱用シート１は、持ち運び時の破れを効果的に抑制することができる。さらに、当該箱用シート１は、折り込み領域Ｐを下方から支持して持ち運ぶことができるので、側壁が手指に略垂直に当接することがなく、作業者の持ち手の負担を抑えることができる。
【００３４】
［第二実施形態］
＜箱用シート＞
図６の箱用シート３１は、１枚のシートからなり包装箱に組み立て可能に構成される。当該箱用シート３１は、一方側から他方側に連接され、組立時に四角筒状部を構成する天面パネル３２、第１側面パネル３３、底面パネル３４及び第２側面パネル３５と、天面パネル３２及び底面パネル３４の対向する端縁からそれぞれ延出し、組立時に先端同士が突き合わされ、上記四角筒状部の端部開口を封止する二対の第１フラップ３６，３７と、一対の側面パネル３３，３５の対向する端縁からそれぞれ延出し、組立時に第１フラップ３６，３７に重ねられる二対の第２フラップ３８，３９とを備える。また、当該箱用シート３１は、天面パネル３２の第１側面パネル３３と連接される側と反対側の端縁に連接される糊代部４０を備える。天面パネル３２、第１側面パネル３３、底面パネル３４及び第２側面パネル３５は各々略矩形状に形成されている。また、天面パネル３２及び底面パネル３４は略同形状に形成され、第１側面パネル３３及び第２側面パネル３５は略同形状に形成されている。
【００３５】
図７に示すように、当該箱用シート３１は、一対の側面パネル３３，３５から形成される一対の側壁と、各二対の第１フラップ３６，３７及び第２フラップ３８，３９によって形成される他対の側壁との間に設けられる４つの角部のうち組立状態で対向する一対の角部の上部に手掛け穴形成部Ｘ２を有する。
【００３６】
（手掛け穴形成部）
手掛け穴形成部Ｘ２は、隣接する側壁の境界線Ｙを中心として左右方向に延び、かつ下方に凸状に湾曲した破断容易線２２と、破断容易線２２の両側から上方かつ境界線Ｙ側に上方に凸状に湾曲した一対の第１折り曲げ容易線２３とを有する。また、手掛け穴形成部Ｘ２は、破断容易線２２の上端から内側に延出する一対のスリット２５を有する。さらに、手掛け穴形成部Ｘ２は、破断容易線２２の両端の内側に配設され、左右方向に延びる第２折り曲げ容易線４１を備える。第２折り曲げ容易線４１の両端は、一対のスリット２５の内側端部に接続されている。破断容易線２２、一対の第１折り曲げ容易線２３及び一対のスリット２５の具体的形状は、図１の箱用シート１と同様であるため説明を省略する。
【００３７】
一対の手掛け穴形成部Ｘ２は、一対の側面パネル３３，３５及び第２フラップ３８，３９の連接部、並びに第１フラップ３６及び糊代部４０の組立状態で上記連接部に重なる部分に形成されている。つまり、第１フラップ３６には、一対の側面パネル３３，３５及び第２フラップ３８，３９の連接部に形成される破断容易線２２、一対の第１折り曲げ容易線２３、一対のスリット２５及び第２折り曲げ容易線４１と組立状態で重なる位置に、破断容易線２２、第１折り曲げ容易線２３、スリット２５及び第２折り曲げ容易線４１が形成されている。また、糊代部４０には、一対の側面パネル３３，３５及び第２フラップ３８，３９の連接部に形成される第１折り曲げ容易線２３と組立状態で重なる位置に、第１折り曲げ容易線２３が形成されている。当該箱用シート３１は、この構成によっても、破断容易線２２及び一対の第１折り曲げ容易線２３で囲まれる領域を包装箱の内側に押し込むことで手掛け穴を形成することができる。
【００３８】
手掛け穴形成部Ｘ２の折り込み手順について説明する。まず、第２折り曲げ容易線４１及び破断容易線２２で囲まれる領域（以下「第１折り込み領域Ｐ１」ともいう）を指で押し込み、破断容易線２２を破断する。次に、第１折り込み領域Ｐ１をさらに内側に押し込むことで、第１折り込み領域Ｐ１と、一対の第１折り曲げ容易線２３及び第２折り曲げ容易線４１によって囲まれる領域（以下「第２折り込み領域Ｐ２」ともいう）とを共に包装箱の内側に押し込む。これにより、破断容易線２２及び一対の第１折り曲げ容易線２３で囲まれる折り込み領域が天面パネル３２の内面に当接する。
【００３９】
第２折り曲げ容易線４１は、例えば直線状に形成されてもよいが、上方に凸状に弓なりに湾曲していることが好ましい。当該箱用シート３１は、第２折り曲げ容易線４１が上方に凸状に弓なりに湾曲していることによって、第１折り込み領域Ｐ１全体を包装箱の内側に押し込みやすい。またこれにより、当該箱用シート３１は、この第１折り込み領域Ｐ１と共に第２折り込み領域Ｐ２を包装箱の内側に押し込みやすい。
【００４０】
第２折り曲げ容易線４１が上方に凸状に弓なりに湾曲している場合、この第２折り曲げ容易線４１の平均曲率半径の下限としては、６ｃｍが好ましく、８ｃｍがより好ましい。一方、上記平均曲率半径の上限としては、１５ｃｍが好ましく、１２ｃｍがより好ましい。上記平均曲率半径が上記範囲内であることによって、第１折り込み領域Ｐ１を包装箱の内側に無理なく押し込みやすい。
【００４１】
第２折り曲げ容易線４１の左右方向長さに対するスリット２５の左右方向長さの比の下限としては、０．０５が好ましく、０．１０がより好ましい。一方、上記比の上限としては、０．２０が好ましく、０．１６がより好ましい。上記比が上記下限に満たないと、第１折り込み領域Ｐ１及び第２折り込み領域Ｐ２を内側に押し込んだ際に、破断容易線２２によって画定される手掛け穴の外縁とスリット２５によって画定される第２折り込み領域Ｐ２の外縁との連続部分に加わる力を十分に逃がすことができないおそれがある。逆に、上記比が上記上限を超えると、第１折り込み領域Ｐ１及び第２折り込み領域Ｐ２の連接部の強度が不十分となるおそれがある。
【００４２】
＜利点＞
当該箱用シート３１は、破断容易線２２の両端の内側に配設され、左右方向に延びる第２折り曲げ容易線４１を有するので、第１折り込み領域Ｐ１を側壁の内側に押し込むことで、上記折り込み領域全体を比較的容易に折り込むことができる。
【００４３】
［その他の実施形態］
なお、本発明に係る箱用シートは、上記態様の他、種々の変更、改変を施した態様で実施することができる。
【００４４】
例えば当該箱用シートは、必ずしもラップアラウンド型の包装箱に組み立てられる必要はない。また、一対の第１折り曲げ容易線は、隣接する側壁の境界線と交差するよう形成されていてもよい。
【産業上の利用可能性】
【００４５】
以上のように、本発明に係る箱用シートは、持ち手の負担を抑えることができると共に、持ち運び時の破断を抑制することができるので、物品の運搬に用いられる包装箱用シートとして適している。
【符号の説明】
【００４６】
１，３１  箱用シート
２，３２  天面パネル
３，３３  第１側面パネル
４，３４  底面パネル
５，３５  第２側面パネル
６，７，３６，３７  第１フラップ
８，９，３８，３９  第２フラップ
１０，４０  糊代部
２１  包装箱
２２  破断容易線
２３  第１折り曲げ容易線
２４  切欠き
２５  スリット
４１  第２折り曲げ容易線
Ｐ  折り込み領域
Ｐ１  第１折り込み領域
Ｐ２  第２折り込み領域
Ｘ１，Ｘ２  手掛け穴形成部
Ｙ  境界線
Ｚ  手掛け穴
【図１】
2018140785.tif 000003
【図２】
2018140785.tif 000004
【図３】
2018140785.tif 000005
【図４】
2018140785.tif 000006
【図５】
2018140785.tif 000007
【図６】
2018140785.tif 000008
【図７】
2018140785.tif 000009
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
１枚のシートからなり、
一方側から他方側に連接され、組立時に四角筒状部を構成する天面パネル、第１側面パネル、底面パネル及び第２側面パネルと、
上記天面パネル及び底面パネルの対向する端縁からそれぞれ延出し、組立時に先端同士が突き合わされ、上記四角筒状部の端部開口を封止する二対の第１フラップと、
上記一対の側面パネルの対向する端縁からそれぞれ延出し、組立時に上記第１フラップに重ねられる二対の第２フラップと
を備え、
包装箱に組み立て可能な箱用シートであって、
上記一対の側面パネルから形成される一対の側壁と、上記各二対の第１フラップ及び第２フラップによって形成される他対の側壁との間に設けられる４つの角部のうち組立状態で対向する一対の角部の上部に手掛け穴形成部を有し、
上記一対の手掛け穴形成部が、
隣接する上記側壁の境界線を中心として左右方向に延び、かつ下方に凸状に湾曲した破断容易線と、
この破断容易線の両端から上方かつ上記境界線側に上方に凸状にそれぞれ湾曲した一対の第１折り曲げ容易線と
を有し、
上記破断容易線及び一対の第１折り曲げ容易線で囲まれる領域が上記天面パネルの内面に当接する箱用シート。
【請求項２】
上記一対の手掛け穴形成部が、上記一対の側面パネル及び第２フラップの連接部に形成されており、
上記第１フラップの組立状態で上記手掛け穴形成部と重なる部分が切り欠かれている請求項１に記載の箱用シート。
【請求項３】
上記破断容易線の両端の内側に配設され、左右方向に延びる第２折り曲げ容易線をさらに有する請求項１又は請求項２に記載の箱用シート。
【請求項４】
上記天面パネルと一対の第１折り曲げ容易線の上端との上下方向距離に対する上記天面パネルと破断容易線の下端との上下方向距離の比が２以上６以下である請求項１、請求項２又は請求項３に記載の箱用シート。
【請求項５】
上記一対の第１折り曲げ容易線が、隣接する上記側壁の境界線を挟んで形成されている請求項１から請求項４のいずれか１項に記載の箱用シート。